(57)【要約】【課題】スペース効率及び均斉度に優れた照明装置付きバインダボードを提供することを課題とする。【解決手段】透光性を有するバインダボード１１０と、その裏面に設けられた面光源を有する照明装置１００とを備える。照明装置１００は、複数の発光ダイオードなどの光源４０１と、光源４０１から照射された光を入射してバインダボード１１０に向けて出射する導光体４０３と、導光体４０３からの出射光をバインダボード１１０に向けるための反射体４０４とを備える。各発光ダイオード４０１からの出射光は、導光体４０３に対して混合されて入射されるようにする。照明装置１００には、防曇体４０５が設けられる。【選択図】図３
2008290344.tif 000002
【特許請求の範囲】
【請求項１】
透光性を有するバインダボードと、前記バインダボードの裏面に設けられた面光源を有する照明装置と、を備える照明装置付きバインダボード。
【請求項２】
前記照明装置は、
光源と、
前記光源から照射された光を入射して当該バインダボードに向けて出射する導光体と、
前記導光体からの出射光を前記バインダボードに向けるための反射体とを備える、請求項１記載の照明装置付きバインダボード。
【請求項３】
前記照明装置は、防曇体が設けられている、請求項１記載の照明装置付きバインダボード。
【請求項４】
前記光源は複数の発光ダイオードであり、
前記導光体に対して前記各発光ダイオードからの出射光の混合光が入射される、請求項１記載の照明装置付きバインダボード。
【発明の詳細な説明】
【技術分野】
【０００１】
本発明は、照明装置付きバインダボードに関し、特に、発光ダイオード（以下、ＬＥＤと称する。）又は発光面が線状の光源（以下、ライン光源と称する。）を用いた照明装置付きバインダボードに関する。
【背景技術】
【０００２】
特許文献１には、用紙を挟むクリップ部と、クリップ部に取り付けられているフレキシブルチューブと、フレキシブルチューブに接続されていてバインダボードに載置される用紙を照明する照明装置とを備える照明装置付きバインダボードが開示されている。
【０００３】
特許文献２には、用紙を挟むクリップ部と、バインダボードの短辺に沿って延びる照明光源を有していてクリップ部付近で回動可能な照明装置とを備える照明装置付きバインダボードが開示されている。
【０００４】
【特許文献１】実開昭６０−３８７８２号公報
【特許文献１】実開昭６３−１４８４７２号公報
【発明の開示】
【発明が解決しようとする課題】
【０００５】
しかし、特許文献１に開示されている照明装置付きバインダボードは、フレキシブルチューブと照明装置とが設けられているため、スペース効率の点で難がある。
【０００６】
特許文献１に開示されている照明装置付きバインダボードは、光源が、クリップ部付近に位置することになる。このため、光源から近い部分は相対的に明るく、光源から遠い部分は相対的に暗くなるため、均斉度の点で難がある。
【０００７】
そこで、本発明は、スペース効率及び均斉度に優れた照明装置付きバインダボードを提供することを課題とする。
【課題を解決するための手段】
【０００８】
上記課題を解決するために、本発明の照明装置付きバインダボードは、
透光性を有するバインダボードと、前記バインダボードの裏面に設けられた面光源を有する照明装置とを備える。
【０００９】
本発明によると、面光源を備えているため、スペース効率及び均斉度に優れた照明装置付きバインダボードを提供することが可能となる。
【００１０】
なお、前記照明装置は、より優れた均斉度を実現するために、光源と、前記光源から照射された光を入射して当該バインダボードに向けて出射する導光体と、前記導光体からの出射光を前記バインダボードに向けるための反射体とを備えるとよい。
【００１１】
また、前記照明装置に、防曇体が設けることも好ましい。現実問題として、照明装置を完全防水することは困難であるため、照明装置内に浸入した水分によって照明装置内が曇ることによって均斉度が低下することを防止できるからである。
【００１２】
さらに、前記光源として複数の発光ダイオードを用い、かつ、前記導光体に対して前記各発光ダイオードからの出射光の混合光が入射されるようにすることも、均斉度向上のために望ましい。
【発明の実施の形態】
【００１３】
以下、本発明の実施形態について、図面を参照して説明する。
図１は、本発明の実施形態の照明装置付きバインダボードの模式的な平面図である。図２は、図１に示す照明装置付きバインダボードの裏面図である。図３は、図１に示す照明装置付きバインダボードの分解斜視図である。
【００１４】
図１等に示すように、本実施形態の照明装置付きバインダボードは、以下説明する、照明装置１００と、透光板１１０と、照明装置支持フレーム１２０と、クリップ部１３０と、電源スイッチ１４０と、電池ボックス１５０とを備えている。
【００１５】
照明装置１００は、透光板１１０に対して面発光するものである。照明装置１００の大きさは、たとえば、平面の縦横の長さが２０〜５０ｃｍ、厚さが２〜３ｍｍ程度である。一例としては、以下説明する導光体４０３の面発光のサイズは、Ａ４サイズなどのように汎用的なサイズの用紙等（図示せず）に対応するサイズとすることができる。この「対応するサイズ」とは、汎用的なサイズよりも後述する遮光シートの幅分を加味し、さらに、遊びを設けたサイズのことをいう。
【００１６】
もっとも、照明装置１００の大きさは、クリップ部１３０で留められるものの大きさなどに応じて適宜決定されるものであり、このサイズに限定されるものではない。なお、照明装置１００の具体的な構成については後述する。
【００１７】
透光板１１０は、拡散材を含む乳白色をしたアクリル素材などによって形成されている。透光板１１０は、透光素材であればアクリルに限定されず、ポリカーボネートなどのプラスチック、ポリエチレンテレフタラートなどのポリエステルなどを用いてもよい。
【００１８】
透光板１１０の表面は、バインダボードの表面としても機能する。すなわち、透光板１１０の表面には、図示しない用紙等が載置される。なお、透光板１１０として拡散材を含まないものを用いて、照明装置１００に拡散シートを設けてもよい。
【００１９】
さらに、透光板１１０の上部及び／又は下部に、照明装置付きバインダボードを肩掛け使用できるように、肩掛け用ストラップを通す開口を形成してもよい。或いは、透光板１１０の裏面に、照明装置付きバインダボードを卓上使用できるように、折り畳み式などのスタンドを設けてもよい。また、透光板１１０表面の縁部には、選択的に、図示しない蓄光体が取り付けられる。これにより、照明装置１００の光源のパワーを抑えることが可能となる。
【００２０】
照明装置支持フレーム１２０は、透光板１１０の裏面に設けられていて、中央部分に照明装置１００が載置されるフレームである。照明装置支持フレーム１２０と透光板１１０とは螺子などによって接続される。照明装置支持フレーム１２０と透光板１１０との間には、ゴムパッキン又はシリコン樹脂層などを設けて、照明装置１００の防水処理を施している。
【００２１】
照明装置支持フレーム１２０は、照明装置１００の発熱を考慮してアルミニウムなどを用いるとよいが、これに限定されず、ポリカーボネートなどのプラスチック、ポリエチレンなどのポリエステル、硬質塩化ビニールなどを用いてもよい。
【００２２】
なお、照明装置支持フレーム１２０の裏面であって、電源スイッチ１４０及び電池ボックス１５０の近傍には、クリップ部１３０によって留められる用紙等以外の用紙を保管する保管部を備えてもよい。
【００２３】
クリップ部１３０は、透光板１１０の表面上部中央に取り付けられている。クリップ部１３０は、透光板１１０の上に置かれる用紙等を留めるものである。
【００２４】
電源スイッチ１４０は、照明装置１００への電力供給を切り替えるスイッチである。なお、照明装置１００内の複数の光源を多段的にＯＮ／ＯＦＦできるようにして、スイッチも多段的にしてもよい。
【００２５】
電池ボックス１５０は、例えば、マンガン電池、アルカリ電池などを用いる。電池ボックス１５０のサイズは、ボタン形小型電池、単三型乾電池、又は、単四型乾電池を好適に用いることができる。本実施形態では、単三型乾電池の電池ボックス１５０とし、これを照明装置付きバインダボードの裏面上部に設置している。
【００２６】
この結果、照明装置付きバインダボードを机上等に載置したときには、電池ボックス１５０が脚部として機能することになり、照明装置付きバインダボードが机上等に対して斜めに傾き、ユーザが、照明装置付きバインダボードを見やすくなるという利点がある。もっとも、電池ボックス１５０をボタン形小型電池用として、照明装置付きバインダボードの更なる薄型化を実現してもよい。
【００２７】
さらには、電池ボックス１５０の設置位置は、照明装置付きバインダボードの裏面下部としてもよい。こうすると、既述の保管部の開口部を照明装置付きバインダボードの裏面上部に設けることが可能となる。
【００２８】
通常、照明装置付きバインダボードを肩掛け使用する際には、照明装置付きバインダボードの表面上方が使用者側に向く態様で傾けてられるところ、保管部の開口部を照明装置付きバインダボードの裏面上部設けることができれば、保管用紙が、照明装置付きバインダボードの使用中に、落下することを防止できる。
【００２９】
照明装置１００は、一例として、ＬＥＤなどの複数の光源４０１を備える。各光源４０１は、光源ユニット４０２に設けられていて、光源４０１の発光面付近には、光源４０１から出射されたものの導光板４０３に入射しなかった光などを導光板４０３に向けて反射する反射体が形成されている。
【００３０】
反射体は、光源ユニット４０２自体を光反射性に優れるアルミナなどの素材から構成する、或いは、光源ユニット４０２自体を汎用的な素材で構成しても鏡面加工等を施すなどして構成する。
【００３１】
なお、反射体は、適度に梨地にしたりして、反射集中帯を広げる等、照度の均一性を向上させている。或いは、光源ユニット４０２として、長手状の透明棒と、この透明棒の少なくとも一方の端面付近にＬＥＤ等を備えた、発光面が線状の光源ユニットを用いることもできる。
【００３２】
また、照明装置１００は、光源４０１からの出射光を第一側面４０３ａから入射して上面４０３ｂから出射する導光体４０３を備えている。導光体４０３は、例えば板状のアクリルに、ドット印刷により加工したものを用いることができる。
【００３３】
また、導光体４０３は、第一側面４０３ａを除く側面と下面とに、反射シート４０４が設けられている。導光体４０３は、上面であって光源４０１近傍に、光の集合部分となる入光部（いわゆる目玉）を、照明装置付きバインダボードのユーザが視認できないようにするために、各光源４０１からの相対的に遮光シートが貼付されている。
【００３４】
ここで、照明装置１００のサイズをＡ４サイズの用紙に対応するサイズとした場合に、光源４０１をどのような条件で配列すればよいかを検証した。その結果、光源４０１としてＬＥＤを１５個用い、ＬＥＤの発光面の中心間の距離を１３ｍｍ±０．５ｍｍ程度とし、光源４０１の発光面と導光体４０３の端面との距離を０．２ｍｍ±０．２ｍｍ程度としたところ、均斉度、照度ともに良好な結果が得られた。
【００３５】
反射シート４０４の周辺は、照明装置１００内の湿気に起因する防曇用の吸収ポリマーシート４０５によって覆われている。既述のように、照明装置１００に対して防水加工を施しているものの、現実問題として、完全防水を実現することは不可能である。このため、多湿な環境下で照明装置付きバインダボードを使用したり保管したりする場合には、照明装置１００内の湿度が高くなることがある。この際、照明装置１００に吸収ポリマーシート４０５を設けていると、照明装置１００内部の防曇効果が得られる。
【００３６】
なお、導光体４０３と透光板１１０との間には、照明装置１００の大きさ等に応じて、スペーサを設けてもよい。すなわち、照明装置１００が大判となった場合には、スペーサを設けるとよい。
【００３７】
図１等に示す照明装置付きバインダボードは、電源スイッチ１４０をＯＮすると、照明装置１００のＬＥＤ４０１から光が出射される。この光は、第一端面４０３ａを通じて導光体４０３に入射される。もっとも、その光の中には、第一端面４０３ａで反射されて導光体４０３に入射されないものもあるが、このような光は、光源ユニット１０２の反射体で反射され、導光体４０３に入射される。
【００３８】
導光体４０３へ入射された光は、やがて、導光体４０３の上面４０３ｂから導光体４０３外へ出射されものの、それまでの過程では、下面４０３ｃ及び第二端面４０３ｄに設けられた反射シート４０４で反射しながら、導光体４０３内を進むものがある。また、その光の中には、第一端面４０３ａに到達し、反射体４０２によって反射され、導光体４０３内にとどまるものがある。
【００３９】
導光体４０３の上面４０３ｂ、下面４０３ｃ、及び第二端面４０３ｄで反射された光は、上面４０３ｂから導光体４０３外へ出射される。この出射光は、透光板１１０の底面から入射され、透光板１１０の拡散材によって拡散されて、上面から拡散光として出射される。
【図面の簡単な説明】
【００４０】
【図１】本発明の実施形態の照明装置付きバインダボードの模式的な平面図である。
【図２】図１に示す照明装置付きバインダボードの裏面図である。
【図３】図１に示す照明装置付きバインダボードの分解斜視図である。
【符号の説明】
【００４１】
１００  照明装置
１１０  透光板
１２０  照明装置支持フレーム
１３０  クリップ部
１４０  電源スイッチ
１５０  電池ボックス
【図１】
2008290344.tif 000003
【図２】
2008290344.tif 000004
【図３】
2008290344.tif 000005
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
透光性を有するバインダボードと、前記バインダボードの裏面に設けられた面光源を有する照明装置と、を備え、
前記照明装置は、防曇体が設けられている照明装置付きバインダボード。
【請求項２】
前記照明装置は、
光源と、
前記光源から照射された光を入射して当該バインダボードに向けて出射する導光体と、
前記導光体からの出射光を前記バインダボードに向けるための反射体とを備える、請求項１記載の照明装置付きバインダボード。
【請求項３】
前記光源は複数の発光ダイオードであり、
前記導光体に対して前記各発光ダイオードからの出射光の混合光が入射される、請求項１記載の照明装置付きバインダボード。
【手続補正書】
【提出日】平成20年7月4日(2008.7.4)
【手続補正１】
【補正対象書類名】特許請求の範囲
【補正対象項目名】請求項１
【補正方法】変更
【補正の内容】
【請求項１】
拡散材を含む投光板を有するバインダボードと、
前記バインダボードの裏面に設けられた面光源を有する照明装置と、
前記照明装置の裏面に設けられた電池ボックスと、
前記電池ボックスの近傍に設けられた用紙の保管部と、を備え、
前記照明装置は、防曇体が設けられている照明装置付きバインダボード。
【手続補正書】
【提出日】平成20年9月22日(2008.9.22)
【手続補正１】
【補正対象書類名】特許請求の範囲
【補正対象項目名】請求項１
【補正方法】変更
【補正の内容】
【請求項１】
拡散材を含む投光板を有するバインダボードと、
前記バインダボードの裏面に設けられた面光源を有する照明装置と、
前記照明装置の裏面に設けられていて脚部としても機能する電池ボックスと、を備え、
前記照明装置は、防曇体が設けられている照明装置付きバインダボード。
【手続補正２】
【補正対象書類名】明細書
【補正対象項目名】００２２
【補正方法】削除
【補正の内容】